(57)【特許請求の範囲】
【請求項１】
埋め込み可能医療デバイスと、
第１アンテナを有する基地局と、
第２アンテナを有する監視デバイスであって、前記基地局に結合される時に、前記第１アンテナと前記第２アンテナの両方を介して前記埋め込み可能医療デバイスから無線信号を受信する監視デバイスと
を備え、前記監視デバイスは、前記第１アンテナおよび前記第２アンテナを介して受信した前記無線信号を処理する空間ダイバーシティ受信機と第１端子とを備え、前記基地局は、前記監視デバイスを収容するクレードルと、前記第１端子と嵌まり合い、それにより前記第１アンテナを前記受信機に接続する第２端子とを備えるシステム。
【請求項２】
前記監視デバイスは、該監視デバイスが前記基地局に結合されない時に、前記第２アンテナのみを介して前記埋め込み可能医療デバイスから前記無線信号を受信する請求項１に記載のシステム。
【請求項３】
前記基地局は、前記監視デバイスを収容するクレードルを備える請求項１に記載のシステム。
【請求項４】
前記基地局はネットワークへの通信リンクを備える請求項１に記載のシステム。
【請求項５】
前記埋め込み可能医療デバイスは、心臓刺激器、神経刺激器、薬剤デリバリデバイス、および生理的センサデバイスのうちの１つを備える請求項１に記載のシステム。
【請求項６】
前記基地局は、前記第１アンテナを介して受信した無線信号を処理する無線回路を備える請求項１に記載のシステム。
【請求項７】
前記監視デバイスをネットワークへ接続するネットワークアクセスポイントをさらに備える請求項１に記載のシステム。
【請求項８】
前記監視デバイスは、前記埋め込み可能医療デバイスをプログラムするための無線信号を送信する送信機をさらに備える請求項１に記載のシステム。
【請求項９】
埋め込み式医療デバイスを監視する監視デバイスであって、
第１アンテナと、
該第１アンテナに結合して、該第１アンテナを介して前記埋め込み式医療デバイスから受信した信号を処理する無線受信機と、
該無線受信機を基地局に関連する第２アンテナに結合させて、該第２アンテナを介して前記埋め込み式医療デバイスから受信した信号を処理する端子と
を備え、前記無線受信機は、前記第１アンテナおよび前記第２アンテナを介して受信された信号を処理する空間ダイバーシティ受信機を備え、前記端子は、前記基地局と関連するクレードルで第２端子と嵌まり合い、それによって、前記受信機を前記第２アンテナに接続するように構成される監視デバイス。
【請求項１０】
前記埋め込み可能医療デバイスは、心臓刺激器、神経刺激器、薬剤デリバリデバイス、および生理的センサデバイスのうちの１つを備える請求項９に記載の監視デバイス。
【請求項１１】
前記監視デバイスは、前記埋め込み可能医療デバイスをプログラムするための無線信号を送信する送信機をさらに備える請求項９に記載の監視デバイス。
【請求項１２】
監視デバイスが基地局に結合される時に、前記監視デバイスに関連する第１アンテナと前記基地局に関連する第２アンテナの両方を介して埋め込み可能医療デバイスから無線信号を受信することであって、該監視デバイスは空間ダイバーシティ受信機を備える、受信すること、
前記監視デバイスが前記基地局に結合されない時に、前記第１アンテナのみを介して前記無線信号を受信すること、
第1端子を備える前記監視デバイスを、第２端子を備える前記基地局によって画定されたクレードル内に設置し、該第１端子と該第２端子とを結合することにより、該監視デバイスを前記第２アンテナに結合すること,および
前記空間ダイバーシティ受信機を使用して前記第１アンテナおよび前記第２アンテナを介して受信された前記無線信号を処理すること、
を含む方法。
【請求項１３】
前記埋め込み可能医療デバイスは、心臓刺激器、神経刺激器、薬剤デリバリデバイス、および生理的センサデバイスのうちの１つを備える請求項１２に記載の方法。
【請求項１４】
前記埋め込み可能医療デバイスをプログラムするために、前記監視デバイスから無線信号を送信することをさらに含む請求項１２に記載の方法。
【請求項１５】
送信機によって送信された信号を受信する空間ダイバーシティ受信機を備える、埋め込み式医療デバイスを監視する監視デバイスであって、
前記受信機は、該監視デバイスが第２デバイスに結合する時に第１アンテナおよび第２アンテナを介して前記信号を受信し、前記第１アンテナおよび前記第２アンテナを介して受信された信号を処理し、該監視デバイスが前記第２デバイスに結合しない時に前記第１アンテナのみを介して前記信号を受信し、該監視デバイスは第１端子を備え、前記第２デバイスは前記監視デバイスを収容するクレードルと、前記第１端子と嵌まり合い、それにより前記第２アンテナを前記受信機に接続する第２端子とを備える監視デバイス。
【発明の詳細な説明】
【技術分野】
【０００１】
本発明は、埋め込み可能医療デバイスに関し、より詳細には、埋め込み可能医療デバイスと通信するための患者監視デバイスに関する。埋め込み可能医療デバイスは、通常、埋め込み式医療デバイスと、外部プログラマまたは患者監視デバイスとの間の通信を可能にする無線テレメトリリンクを備える。無線テレメトリリンクは、たとえば、新しい特徴または機能を埋め込み可能医療デバイスにプログラムするために、プログラマまたは患者監視デバイスから埋め込み可能医療デバイスへコマンドの送信を可能にし得る。同様に、無線テレメトリリンクは、格納された動作情報および検知された生理的パラメータを取得するために、プログラマまたは監視デバイスが埋め込み可能医療デバイスに問い掛けることを可能にし得る。
【０００２】
送受信機およびアンテナは、通常、埋め込み可能医療デバイスに関連するハウジング内に配置される。従来のプログラマおよび患者監視デバイスは、プログラミングおよび問い掛けのために、埋め込み可能医療デバイスに近接して設置される送受信機ヘッドを組み込む。送受信機ヘッドは、コードを介して、プログラマまたは監視デバイスに結合され得る。より最近では、埋め込み可能医療デバイス用のテレメトリシステムは、プログラマまたは監視デバイス内の送受信機ヘッドに対する必要性がなくなった。代わりに、埋め込み可能医療デバイスと、プログラマまたは患者監視デバイスとの間の通信距離の増加を可能にするために、種々の無線通信技法が実施されてきた。
【０００３】
改良された無線通信技法は、埋め込み可能医療デバイスが、プログラマまたは監視デバイスから数メートル離れて配置されることを可能とし、プログラミングおよび問い掛け中に、高い可動性を患者に与える。場合によっては、患者監視デバイスは、患者の家庭内に設置され、患者の日課の過程で、無線テレメトリによって埋め込み可能医療デバイスを監視するように構成され得る。さらに、一部の患者モニタは、たとえば、個人情報端末（ＰＤＡ）または携帯電話とよく似た、患者が持ち運ぶことができる携帯機器の形態をとり得る。
【０００４】
一般に、本発明は、単一アンテナ動作とマルチアンテナ動作の両方が可能な受信機を有する患者監視デバイスを対象とする。マルチアンテナ動作により、監視デバイスは、フェージングの存在下での埋め込み可能医療デバイスとの通信を改善するために、空間ダイバーシティを利用することができる。しかしながら、多くの患者監視デバイスのサイズが小さいため、複数のアンテナの組み込みを難しくする可能性がある。空間ダイバーシティ動作を可能にするため、本発明は、患者監視デバイスに結合することができる第２アンテナを有する基地局を提供する。別法として、基地局は、患者監視デバイスが基地局に結合される時に、患者監視デバイス内のアンテナの代わりに、患者監視デバイスによって使用される１つまたは複数の高品質アンテナを有する場合がある。
【０００５】
患者監視デバイスは、基地局に結合する時にマルチアンテナ動作を、また基地局に結合しない時に単一アンテナ動作を提供し得る。別法として、患者監視デバイスは、基地局に結合される時に、基地局内に設けられた高品質アンテナを使用し得る。基地局は、ドッキングステーション、プラットフォーム、クレードルなどの形態をとる場合があり、たとえば、空間ダイバーシティまたはアンテナ品質の向上のために、患者監視デバイスを収容し、患者監視デバイスにアンテナを結合する。患者監視デバイスは、単一アンテナモードか、マルチアンテナモードのいずれかで動作することが可能な適応型受信機および送信機を提供し得る。こうして、本発明は、第２アンテナのために監視デバイス内でさらなる空間を消費することなく、空間ダイバーシティを達成することができる。
【０００６】
一実施形態において、本発明は、埋め込み可能医療デバイスと、第１アンテナを有する基地局と、第２アンテナを有する監視デバイスとを備えるシステムを提供し、監視デバイスは、監視デバイスが基地局に結合される時に、第１アンテナと第２アンテナの両方を介して埋め込み可能医療デバイスから無線信号を受信する。
【０００７】
別の実施形態において、本発明は、埋め込み式医療デバイスを監視する監視デバイスを提供し、そのデバイスは、第１アンテナと、第１アンテナに結合して、第１アンテナを介して埋め込み式医療デバイスから受信した信号を処理する無線受信機と、受信機を基地局に関連する第２アンテナに結合させて、第２アンテナを介して埋め込み式医療デバイスから受信した信号を処理する端子とを備える。
【０００８】
さらなる実施形態において、本発明は、監視デバイスが基地局に結合される時に、監視デバイスに関連する第１アンテナと基地局に関連する第２アンテナの両方を介して埋め込み可能医療デバイスから無線信号を受信すること、および、監視デバイスが基地局に結合されない時に、第１アンテナのみを介して無線信号を受信することを含む方法を提供する。
【０００９】
さらに別の実施形態において、本発明は、送信機によって送信された信号を受信する無線受信機を備える、埋め込み式医療デバイスを監視する監視デバイスを提供し、受信機は、監視デバイスが第２デバイスに結合する時に第１アンテナおよび第２アンテナを介して信号を受信し、監視デバイスが第２デバイスに結合しない時に第１アンテナのみを介して信号を受信する。
【００１０】
別の実施形態において、本発明は、アンテナと、監視デバイスが基地局に結合する時に、埋め込み可能医療デバイスを監視する監視デバイスにアンテナを接続する端子とを備える基地局を提供する。本発明は種々の態様を含む。たとえば、本発明は、デバイス内にさらなるアンテナを組み込む必要なしで、患者監視デバイス内での空間ダイバーシティ動作を可能にし得る。代わりに、患者監視デバイスは、基地局に結合されない時に単一アンテナ動作を、基地局に結合される時にマルチアンテナ動作を提供してもよい。別法として、患者監視デバイスは、デバイスのアンテナではなく基地局内に設けられた高品質アンテナを使用してもよい。
【００１１】
患者監視デバイスが基地局に結合されない時に、患者は、埋め込み可能医療デバイスに近接して監視デバイスを保持する可能性がある。この場合、単一アンテナ動作で十分である場合がある。患者監視デバイスが、患者によって保持されない、したがって、埋め込み可能医療デバイスからさらに離れている場合、患者監視デバイスを基地局内に設置することにより、空間ダイバーシティ技法または高品質アンテナによって、通信の改善が可能になる。こうして、本発明は、患者監視デバイスと埋め込み可能医療デバイスとの間の通信の全体の信頼性を向上させる場合がある。
【００１２】
本発明の１つまたは複数の実施形態の詳細は、添付図面および以下の説明において述べられる。本発明の他の態様は、説明および図面から、ならびに、添付の特許請求の範囲から明らかになるであろう。
【００１３】
図１は、本発明の一実施形態によるマルチアンテナ動作が可能な患者監視デバイス１２を備えるシステム１０を示すブロック図である。図１に示すように、システム１０は、患者監視デバイス１２、埋め込み可能医療デバイス（「ＩＭＤ」）１４、および基地局１６を備えることができる。ＩＭＤ１４は、アンテナ１８を介して患者監視デバイス１２に信号を送信する。患者監視デバイス１２はアンテナ２０を備える。基地局１６はアンテナ２２を備える。患者監視デバイス１２は、基地局１６と個別に使用されてもよく、または、基地局に結合されてもよい。
【００１４】
本発明によれば、監視デバイス１２は、単一アンテナ動作またはマルチアンテナ動作のために構成される。特に、監視デバイス１２は、監視デバイスが基地局１６に結合しない時にＩＭＤ１４と通信するためにアンテナ２０を使用する。しかしながら、監視デバイス１２が基地局１６に結合する時に、監視デバイスは、アンテナ２０だけでなく、基地局１６内に設けられたアンテナ２２も使用する。こうして、監視デバイス１２は、監視デバイスが基地局１６に結合する時に、ＩＭＤ１４と通信するために空間ダイバーシティを利用することができる。
【００１５】
図１にさらに示すように、基地局１６は、ネットワーク２６へのアクセスを提供するホストトコンピュータ２３に結合されてもよい。別法として、基地局１６は、ネットワーク２６に対して設けられるアクセスポイント２４に直接結合してもよい。ネットワーク２６は、ローカルエリアネットワーク、ワイドエリアネットワーク、または、ワールドワイドウェブなどのグローバルコンピュータネットワークであってもよく、監視デバイス１２と、１つまたは複数のネットワーククライアント２８との間の通信を提供する。監視デバイス１２またはホストコンピュータ２３上で実行されるアプリケーションは、ＩＭＤ１４から取得されたデータを収集し、クライアント２８へ転送し得る。クライアント２８は、監視する医師に関連してもよく、ネットワーク２６を介して監視デバイス１２から受信された情報を処理するために、自動化アプリケーションを実行してもよい。
【００１６】
基地局１６は、複数の目的に役立ち得る。空間ダイバーシティのために第２アンテナを提供することに加えて、監視デバイス１２とホストコンピュータ２３またはネットワークアクセスポイント２４との有線通信または無線通信を可能にするために、基地局１６は、ドッキングステーションとして動作してもよい。一部の実施形態では、基地局１６は、監視デバイス１２内に格納されたデータと、ホストコンピュータ２３あるいは１つまたは複数のクライアント２８によって格納されたデータとを同期させることを容易にし得る。この意味で、基地局１６は、多くの従来のＰＤＡと共に使用される「同期(synch)」クレードルとほとんど同じに動作し得る。同様に、基地局１６は、監視デバイス１２が基地局に結合する、たとえば、基地局内にドッキングされる時に、監視デバイス１２内で充電式電池を充電するのに役立ち得る。
【００１７】
監視デバイス１２は、心臓刺激器、神経刺激器、薬剤デリバリデバイス、および生理的センサデバイスを備える種々の異なるＩＭＤ１４と共に使用されてもよい。埋め込み可能医療デバイス１４の一例はペースメーカである。埋め込み可能医療デバイスの別の例はペースメーカ−カーディオバータ−ディフィブリレータ（「ＰＣＤ」）である。他の例は、埋め込み可能脳刺激器、埋め込み可能胃システム(gastric system)刺激器、埋め込み可能神経刺激器または筋肉刺激器、埋め込み可能下降結腸、埋め込み可能薬剤または有効作用物質分注器またはポンプ、埋め込み可能心臓信号ループまたは他のタイプの記録器またはモニタ、埋め込み可能遺伝子治療デリバリデバイス、埋め込み可能失禁防止または監視デバイス、埋め込み可能インスリンポンプまたは監視デバイスなどを備える。ＩＭＤ１４は、動作情報および生理的情報を連続して収集してもよい。生理的情報は、心拍数、心拍数変動、血中グルコースレベル、酸素飽和度、血中酸素分圧、血圧、圧反射測度、電位図形態、肺湿り度（lung wetness）などを含んでもよい。
【００１８】
監視デバイス１２のアンテナ２０は、ＩＭＤ１４から受信された信号を処理するために、無線受信機に結合する。さらに、アンテナ２０は、無線送信機に結合してもよい。したがって、監視デバイス１２は、ＩＭＤ１４と一方向または双方向通信するように設計されてもよい。送信機は、ＩＭＤ１４をプログラムするために、監視デバイス１２によって使用されてもよい。同様に、本発明によれば、監視デバイス１２は、単一アンテナ動作か、マルチアンテナ動作のいずれかを提供してもよい。こうして、監視デバイス１２は、アンテナ２０とアンテナ２２の両方を介して受信された信号を受信機が処理する空間ダイバーシティモードを提供するように構成されてもよい。
【００１９】
監視デバイス１２は種々の形態をとってもよい。たとえば、監視デバイス１２は専用監視デバイスであってもよい。別法として、監視デバイス１２は他のデバイスの機能と一体にされてもよい。特に、監視デバイス１２は、携帯電話、ＰＤＡなどと一体にされてもよい。監視デバイス１２は、基地局１６に結合しない時に、アンテナ２０のみを介してＩＭＤ１４から無線信号を受信してもよい。さらに、監視デバイス１２は、基地局１６に結合する時に、アンテナ２０とアンテナ２２の両方を介してＩＭＤ１４から信号を受信してもよい。
【００２０】
図２は、本発明の一実施形態による患者監視デバイス１２および基地局１６を示すブロック図である。図２に示すように、基地局１６は、監視デバイス１２を収容するための、クレードル、プラットフォーム、または他の支持体を画定し、基地局と監視デバイスに関連する接触端子間での係合を提供する場合がある。特に、監視デバイス１２は、基地局１６内に設けられた第２アンテナ２２に受信機を結合するための接触端子を備えてもよい。基地局１６は、アンテナ２２を監視デバイス１２へ結合するために、監視デバイス１２内の接触端子に係合する相互端子を備えてもよい。別法として、他の実施形態では、基地局１６のアンテナ２２は、ケーブルを介して監視デバイス１２に結合されてもよい。
【００２１】
図２の例では、監視デバイス１２は、アンテナ２０、表示スクリーン３２、およびボタン列３４などのユーザ入力媒体を備える。基地局１６は、アンテナ２２、および、監視デバイス１２を収容し、監視デバイスと基地局の相互接触端子の係合を容易にするためのクレードルのようなレセプタクルを備える。基地局１６は、電力コード（図２では示さず）を介して電力源に結合してもよい。さらに、基地局１６は、ホストコンピュータ２３またはアクセスポイント２４への通信リンクを備えてもよい。図２では、基地局１６から突出するようにアンテナ２２が示される。しかしながら、他の実施形態では、アンテナ２２は、ケーブルを介して基地局１６に結合した、専用の、自立型アンテナであり得る。別法として、アンテナ２２は、基地局１６と関連する電力コードと一体にされるか、または、基地局のハウジング内に埋め込まれてもよい。
【００２２】
一部の実施形態では、基地局１６は、アンテナ２２を介して受信した無線信号を処理する無線回路をさらに備えてもよい。換言すれば、基地局１２は、複数のアンテナ２０、２２を介して信号を送受信する時に必要とされる空間ダイバーシティチャネルのうちの１つを処理するのに必要な回路の一部を提供してもよい。こうして、基地局１６は、監視デバイス１２のサイズ、電力消費、および複雑さをさらに低減することができる。別法として、こうした回路が監視デバイス１２内に設けられて、基地局１６が、アンテナ２２から監視デバイスへの単純な電気的パススルー（pass-through）を提供してもよい。
【００２３】
本発明によれば、単一アンテナ通信またはマルチアンテナ通信が可能である監視デバイス１２は、ＩＭＤ１４と監視デバイス間のより信頼性のある通信を提供することができる。監視デバイス１２は、監視デバイス内にさらなるアンテナを組み込む必要なしに、空間ダイバーシティを利用し得る。代わりに、監視デバイス１２は、空間ダイバーシティを提供するために、監視デバイス自身の基地局１６と協働し、それによって、監視デバイスのサイズ、コスト、および複雑さが低減される。第２アンテナ２２、および、おそらく、第２アンテナによって送受信される信号を処理するための無線回路に必要とされる空間は、基地局１６によって提供され得る。
【００２４】
図３は、本発明の一実施形態による、患者監視デバイス１２および基地局１６の接続部を示すブロック図である。図３に示すように、監視デバイス１２は、監視デバイス１２内のアンテナ２０および基地局１６内のアンテナ２２によって送受信される信号を処理する送信機／受信機（ＴＸ／ＲＸ）回路３６を備える。特に、ＴＸ／ＲＸ３６は、アンテナ２０および端子３８に結合され得る。さらに、ＴＸ／ＲＸ３６は、アンテナ２０を介して、またはアンテナ２０、２２の両方を介して送受信される信号を変復調するモデム４１に結合されてもよい。
【００２５】
監視デバイス１２が、基地局１６内にあるか、または、基地局１６上にある時、端子３８は、基地局１６の端子４０と接触する。端子４０は、アンテナ２２、または、別法として、アンテナ２２によって送受信された信号を処理する基地局１６の無線回路に結合されてもよい。さらなる端子４２、４４は、データの交換および電池充電電流のために、それぞれ、監視デバイス１２および基地局１６上に設けられてもよい。監視デバイス１２は、ＩＭＤ１４内と交換された信号を処理する。監視デバイス１２内のＴＸ／ＲＸ４６は、アンテナ２０、２２を介して送受信された信号を処理するための、空間ダイバーシティ受信機および送信機を備えてもよい。他の実施形態では、監視デバイス１２は、送信機を備えず、代わりに、ＩＭＤ１４からのデータを収集する役割のみを果たしてもよい。監視デバイス１２が基地局１２に結合されない時に、監視デバイス１２は、アンテナ２０を介して信号を受信する。しかしながら、監視デバイス１２が基地局１２に結合される時に、監視デバイス１２は、両方のアンテナ２０、２２を介して信号を受信する。したがって、ＴＸ／ＲＸ４４は、接触端子３８、４０を介したアンテナ２２の接続を自動的に検出する自動検出特徴部を提供してもよい。
【００２６】
図４は、本発明の別の実施形態による、監視デバイス１２および基地局１６の接続部を示すブロック図である。図４は、図３と実質的に一致するが、アンテナ２２のための信号を処理するために、基地局１６内にＴＸ／ＲＸ回路を組み込んだ状態を示す。特に、第１ＴＸ／ＲＸ回路３６Ａは、アンテナ２０のための信号を処理するために、監視デバイス１２内に設けられ、第２ＴＸ／ＲＸ回路３６Ｂは、アンテナ２２のための信号を処理するために、基地局１６内に設けられる。ＴＸ／ＲＸ回路３６Ａ、３６Ｂは、それぞれ、アンテナ２０、２２によって送受信された信号のフィルタリング、増幅、アップコンバージョンまたはダウンコンバージョンを実施してもよい。したがって、ＴＸ／ＲＸ回路３６Ａ、３６Ｂのそれぞれは、モデム４１に結合することができる。ただし、ＴＸ／ＲＸ回路３６Ｂは、監視デバイス１２と基地局１６の結合に応じて、端子３８、４０を介してモデム４１に結合される。
【００２７】
図５は、患者監視デバイス１２と関連する空間ダイバーシティ回路を示すブロック図である。図５に示すように、監視デバイスは、空間ダイバーシティに対して、アンテナ２０、２２によって送受信された信号を処理するための個別のチャネルを含んでもよい。１つのチャネルは、アンテナ２０のための信号を処理するために、無線周波数（ＲＦ）回路４６Ａおよびアナログ−デジタル（ＡＤＣ）／デジタル−アナログ（ＤＡＣ）回路４８Ａを備える。第２チャネルは、アンテナ２２のための信号を処理するために、ＲＦ回路４６ＢおよびＡＤＣ／ＤＡＣ回路４８Ｂを備える。ＲＦ回路４６Ａ、４６Ｂは、それぞれ、アンテナ２０、２２によって送受信された信号を処理するための、従来のフィルタリング回路、増幅回路、ダウンコンバージョン回路およびアップコンバージョン回路を含んでもよい。同様に、ＡＤＣ／ＤＡＣ回路４８Ａ、４８Ｂは、アンテナ２０、２２で送信するために、モデム４１によって生成されたデジタル信号をアナログ信号に変換し、モデム４１によって復調するために、アンテナ２０、２２によって受信されたアナログ信号をデジタル信号に変換する。
【００２８】
図６は、患者監視デバイス内で単一アンテナ動作またはマルチアンテナ動作を選択するためのプロセスを示すフロー図である。図６に示すように、監視デバイス１２が、受信／送信（ＲＸ／ＴＸ）ダイバーシティをサポートする動作モードにあるかどうかが判断される（５０）。ＲＸ／ＴＸダイバーシティがサポートされない場合、監視デバイス１２は、信号アンテナによって送受信される信号を処理する（５８）。しかしながら、ＲＸ／ＴＸダイバーシティがサポートされる場合、監視デバイス１２は、監視デバイス１２が基地局１６に結合しているかどうかを判断する（６０）。監視デバイス１２は、基地局の接触端子に係合する１つまたは複数の接触端子の信号を検出することによって、監視デバイス１２が基地局１６に結合したかどうかを検出してもよい。監視デバイス１２が基地局１６に結合している場合、監視デバイスは、複数のアンテナによって送受信された信号を処理する（６２）。換言すれば、監視デバイス１２は、基地局１６に結合している時に空間ダイバーシティを提供する。この場合、監視デバイスは、ＩＭＤ１４との改善された通信を提供することができる。
【００２９】
図７は、本発明のさらなる実施形態による患者監視デバイスおよび基地局の接続部を示すブロック図である。図７の例は図３と実質的に一致する。しかしながら、空間ダイバーシティ動作を提供する代わりに、患者監視デバイス１２は、患者監視デバイスに関連するアンテナ２０か、基地局１６に関連するアンテナ２２のいずれかを使用した動作を可能にするスイッチ５８を備える。基地局１６のアンテナ２２は、患者監視デバイス１２のアンテナ２０と比較して品質が高いアンテナである場合がある。たとえば、アンテナ２２は、患者監視デバイス１２に関連するサイズ、空間、複雑さ、またはコストの制約のために、アンテナ２０に比べて、より大きな、すなわち、より好ましい寸法を有するか、または、より好ましい材料でできている場合がある。
【００３０】
スイッチ５８は、ＲＸ／ＴＸ回路３６によって使用されるために、アンテナ２０、２２のうちの一方を選択するように構成され得る。患者監視デバイス１２が基地局１６に結合されない場合、スイッチ５８はアンテナ２０を選択する。一方、患者監視デバイス１２が基地局１６に結合される場合、スイッチ５８は、ＩＭＤ１４との改善された通信のために、より高品質のアンテナ２２を選択する。換言すれば、図７の例示的な実施形態では、患者監視デバイス１２は、アンテナ２２が使用のために利用可能である時にアンテナ２０の代わりにアンテナ２２を使用するように構成され得る。さらなる代替形態として、アンテナ２２は、空間ダイバーシティ動作のために、さらに２つのアンテナを組み込んでもよい。この場合、スイッチ５８は、基地局１６からの複数のアンテナをＲＸ／ＴＸ回路３６に結合し、患者監視デバイス１２が基地局１６に結合される時に、患者監視デバイス１２による空間ダイバーシティ通信を可能にする。
【００３１】
本発明の種々の実施形態が述べられた。これらの実施形態および他の実施形態は、添付の特許請求の範囲内にある。
【図面の簡単な説明】
【００３２】
【図１】本発明によるマルチアンテナ動作が可能な患者監視デバイスを備えるシステムを示すブロック図である。
【図２】本発明による患者監視デバイスおよび基地局を示すブロック図である。
【図３】本発明の一実施形態による、患者監視デバイスおよび基地局の接続部を示すブロック図である。
【図４】本発明の別の実施形態による、患者監視デバイスおよび基地局の接続部を示すブロック図である。
【図５】患者監視デバイスと関連する空間ダイバーシティ回路を示すブロック図である。
【図６】患者監視デバイス内で単一アンテナ動作またはマルチアンテナ動作を選択するためのプロセスを示すフロー図である。
【図７】本発明のさらなる実施形態による患者監視デバイスおよび基地局の接続部を示すブロック図である。
【図１】
0004637823.tif 000002
【図２】
0004637823.tif 000003
【図３】
0004637823.tif 000004
【図４】
0004637823.tif 000005
【図５】
0004637823.tif 000006
【図６】
0004637823.tif 000007
【図７】
0004637823.tif 000008